(57)【特許請求の範囲】
【請求項１】
ケーシング（１１）内部に設けられるとともに、地図データが記録された地図データ記録媒体から前記地図データを読み取るデータ読み取り部（１４）を備えたナビゲーション装置であって、
前記ケーシング（１１）内部の温度を検出する温度検出部（１３）と、
前記データ読み取り部（１４）に電源を供給するデータ読み取り部用電源回路（１６）と、
前記温度検出部（１３）にて検出したケーシング内温度（Ｔ）に基づいて前記データ読み取り部用電源回路（１６）からの前記データ読み取り部（１４）への電源供給を制御する演算処理部（１２）とを備え、
前記演算処理部（１２）は、前記ケーシング内温度（Ｔ）に基づいて、前記データ読み取り部（１４）の作動を段階的に制限するものであり、
さらに、前記演算処理部（１２）は、
前記ケーシング内温度（Ｔ）が第１所定温度（Ｔ１）以下の場合には、前記データ読み取り部用電源回路（１６）から前記データ読み取り部（１４）に常時電源を供給させ、
前記ケーシング内温度（Ｔ）が前記第１所定温度（Ｔ１）以上であって前記第１所定温度（Ｔ１）より高い第２所定温度（Ｔ２）以下の場合には、新たなデータ読み取りが必要なときにのみ前記データ読み取り部用電源回路（１６）から前記データ読み取り部（１４）に電源を供給させ、
前記ケーシング内温度（Ｔ）が前記第２所定温度（Ｔ２）以上であって前記第２所定温度（Ｔ２）より高い第３所定温度（Ｔ３）以下の場合には、現在地表示機能を実行するときにのみ前記データ読み取り部用電源回路（１６）から前記データ読み取り部（１４）に電源を供給させ、
前記ケーシング内温度（Ｔ）が前記第３所定温度（Ｔ３）以上の場合には、前記データ読み取り部用電源回路（１６）から前記データ読み取り部（１４）に電源を供給させないことを特徴とするナビゲーション装置。
【発明の詳細な説明】
【０００１】
【発明の属する技術分野】
本発明は、ナビゲーション装置としての機能を確保しつつ、内部の温度上昇を防止して耐熱性の低い部品を高熱から保護することのできるナビゲーション装置に関する。
【０００２】
【従来の技術】
従来より車載のナビゲーション装置では、地図データ等をＣＤ−ＲＯＭ、ＤＶＤ−ＲＯＭ等の地図データ記録媒体に記録し、光学式データ読み出し装置により記録媒体から地図データ等を読み出している。データ読み出し装置は、記録媒体から地図データ等を読み出すために、レーザダイオードを用いた光ピックアップを備えている。また、データ読み出し装置は動作速度を確保するために電源を常時オンにしている。
【０００３】
【発明が解決しようとする課題】
ところが、データ読み出し装置は多くの電力を消費するため発熱量が多く、読み出し装置を常時作動させるとナビゲーション装置内部の温度を上昇させてしまうという問題がある。このようなナビゲーション装置内部の温度上昇により、読み出し装置のピックアップに使用されているレーザダイオード等のような耐熱性の低い部品の破壊あるいは寿命の低下を招いていた。
【０００４】
そこで従来では、ナビゲーション装置内の温度が上昇した場合には読み出し装置の作動を停止することでレーザダイオード等を過熱から保護していた。しかし、このような方法では読み出し装置によるデータ読み出しを行うことができなくなり、地図表示やルート計算ができなくなるなど、ナビゲーション装置としての機能が働かなくなるという問題がある。
【０００５】
また、ナビゲーション装置の温度を下げるためにファンを用いる場合には、埃の影響でピックアップの寿命が短くなる可能性がある。
【０００６】
本発明は、上記問題点に鑑み、ナビゲーション装置内部の温度上昇を防ぎ、耐熱性の低い部品を高温から保護することを目的とする。
【０００７】
上記目的を達成するため、請求項１に記載の発明では、ケーシング（１１）内部に設けられるとともに、地図データが記録された地図データ記録媒体から前記地図データを読み取るデータ読み取り部（１４）を備えたナビゲーション装置であって、ケーシング（１１）内部の温度を検出する温度検出部（１３）と、データ読み取り部（１４）に電源を供給するデータ読み取り部用電源回路（１６）と、温度検出部（１３）にて検出したケーシング内温度（Ｔ）に基づいてデータ読み取り部用電源回路（１６）からのデータ読み取り部（１４）への電源供給を制御する演算処理部（１２）とを備え、演算処理部（１２）は、ケーシング内温度（Ｔ）に基づいて、データ読み取り部（１４）の作動を段階的に制限するものであり、  さらに、演算処理部（１２）は、ケーシング内温度（Ｔ）が第１所定温度（Ｔ１）以下の場合には、データ読み取り部用電源回路（１６）からデータ読み取り部（１４）に常時電源を供給させ、ケーシング内温度（Ｔ）が第１所定温度（Ｔ１）以上であって第１所定温度（Ｔ１）より高い第２所定温度（Ｔ２）以下の場合には、新たなデータ読み取りが必要なときにのみデータ読み取り部用電源回路（１６）からデータ読み取り部（１４）に電源を供給させ、ケーシング内温度（Ｔ）が第２所定温度（Ｔ２）以上であって第２所定温度（Ｔ２）より高い第３所定温度（Ｔ３）以下の場合には、現在地表示機能を実行するときにのみデータ読み取り部用電源回路（１６）からデータ読み取り部（１４）に電源を供給させ、ケーシング内温度（Ｔ）が第３所定温度（Ｔ３）以上の場合には、データ読み取り部用電源回路（１６）からデータ読み取り部（１４）に電源を供給させないことを特徴としている。
【０００８】
これにより、データ読み出し装置（１４）の停止によるナビゲーション機能への影響を少なくしつつケーシング（１１）内の温度上昇を防ぐことができ、耐熱性の低い部品を高熱から保護することができる。
【００１１】
なお、上記各手段の括弧内の符号は、後述する実施形態に記載の具体的手段との対応関係を示すものである。
【００１２】
【発明の実施の形態】
以下、本発明の実施形態を図１〜２に基づいて説明する。
【００１３】
図１は、本実施形態のナビゲーション装置１０の概略構成を示している。図１に示すように本実施形態のナビゲーション装置１０には、ケーシング１１内部に各種演算処理を行う演算処理部１２、ケーシング１１内部の温度を検出する温度検出部１３、データ読み取り部１４、電源回路１６、１７を主要な構成要素として備えている。
【００１４】
演算処理部１２は、ＣＰＵ、プログラムを記憶したＲＯＭ、データの記憶を行うＲＡＭなどを有している。ＣＰＵは、ＲＯＭに記憶されたプログラムに従い、地図および現在位置の表示、目的地への経路案内を行うなどのナビゲーションに必要な各種の演算処理を実行する。
【００１５】
温度検出部１３は例えばサーミスタからなり、温度信号を演算処理部１２に出力するように構成されている。
【００１６】
データ読み取り部１４は、ＣＤ−ＲＯＭ、ＤＶＤ−ＲＯＭなどの地図データ記憶媒体から地図データを光学的に読み取るものであり、レーザダイオードを用いた光ピックアップを備えている。データ読み取り部１４は、演算処理部１２と接続されており、演算処理部１２からの制御信号により作動するように構成されている。
【００１７】
本実施形態のナビゲーション装置には、２つの電源回路１５、１６が設けられている。これらの電源回路１５、１６には、定電圧電源（バッテリ）２０より電源が供給される。第１の電源回路１５は演算処理部１２等に電源を供給する。第２の電源回路１６はデータ読み取り部１４に電源を供給するデータ読み取り部用電源回路を構成している。第２の電源回路１６は、演算処理部１２からの制御信号により、データ読み出し装置１４への電源供給をオン／オフ制御される。この第２の電源回路１６のオン／オフ制御は、第１の電源回路１５とは独立して行われる。
【００１８】
次に、上記構成のナビゲーション装置の作動を図２に基づいて説明する。図２の縦軸はナビゲーション装置１０のケーシング内温度Ｔを示し、横軸は時間を示している。本実施形態のナビゲーション装置１０では、演算処理部１２がケーシング１１内部の温度に基づいて第２の電源回路１６からデータ読み出し装置１４への電源供給を制御し、データ読み出し装置１４の作動を段階的に制限する。
【００１９】
まず、温度検出部１３によりケーシング１１内部の温度Ｔを検出する。ケーシング内温度Ｔが第１所定温度Ｔ１以下である場合（図２中のＡ）には、耐熱性の低い部品の高熱からの保護を考慮する必要はないため、第２の電源回路１６からデータ読み出し装置１４に連続的に電源を供給して、データ読み出し装置１４を常時作動させる。
【００２０】
次にケーシング内温度Ｔが上昇し、第１所定温度Ｔ１以上で第１所定温度Ｔ１より高い第２所定温度Ｔ２以下となった場合（図２中のＢ）には、演算処理部１２は新たなデータ読み取りが必要なときにのみデータ読み取り部１４を作動させる。
【００２１】
具体的には、地図データの更新時やルート計算時といったデータ読み取り部１４による新たなデータ読み取りが必要な場合を除いて、第２の電源回路１６からデータ読み出し装置１４への電源供給をオフにしておく。そして、新たなデータ読み取りが必要となった場合には、第２の電源回路１６からデータ読み取り部１４への電源供給を行ってデータ読み取り部１４を作動させる。演算処理部１２はデータ読み出し装置１４からのデータ受け取りが終了したら、第２の電源回路１６からデータ読み取り部１４への電源供給をオフさせる。
【００２２】
これにより、データ読み出し装置１４では電源オンからデータ読み出しまでの動作速度が遅くなるものの、ケーシング１０内部の温度上昇を防ぐことができ、ピックアップに用いられているレーザダイオード等の耐熱性の低い部品を高熱による破壊から保護し、寿命を延ばすことができる。
【００２３】
次にケーシング内温度Ｔが第２所定温度Ｔ２以上で第２所定温度Ｔ２より高い第３所定温度Ｔ３以下となった場合（図２中のＣ）には、上記図２中Ｂの場合より更にデータ読み取り部１４の作動を制限し、予め設定された特定の機能が要求され、これを実行するときにのみ作動させる。
【００２４】
具体的には、例えば現在地表示のような優先順位の高い機能を要求された場合には、データ読み取り部１４を作動するように設定し、経路計算や索引検索といった優先順位の低い機能を要求された場合には、データ読み取り部１４を作動しないように設定する。従って、予め設定された特定機能以外の機能を要求されても、演算処理装置１２はデータ読み出し装置１４に対してデータ要求せず、第２の電源回路１６からデータ読み取り部１４への電源供給を行わない。
【００２５】
これにより上記図２中Ｂの場合よりデータ読み取り部１４の作動時間が減少し、ナビゲーション装置としての最低限度の機能を確保しつつ、さらにケーシング１０内部の温度上昇を防ぐことができ、耐熱性の低い部品を高熱から保護することができる。
【００２６】
次にケーシング内温度Ｔが第３所定温度Ｔ３以上となった場合（図２中のＤ）には、第２の電源回路１６からデータ読み取り部１４への電源供給を常時オフにして、データ読み取り部１４の全ての作動を停止させる。これによりデータ読み出し装置１４による電力消費をなくし、それ以上のケーシング内温度Ｔの上昇を防止することができる。
【００２７】
次にケーシング内温度Ｔが下がった場合には、上記のようにケーシング内温度Ｔに応じて第２の電源回路１６を制御して、データ読み出し装置１４を段階的に作動させ、ナビゲーション装置の機能を確保する。
【００２８】
以上のように、ケーシング内温度Ｔに基づいて第２の電源回路１６を段階的に制御することで、データ読み出し装置１４の停止によるナビゲーション機能への影響を少なくしつつケーシング１１内の温度上昇を防ぐことができ、データ読み出し装置１４に用いられるレーザダイオードのような耐熱性の低い部品を高熱から保護することができる。
【図面の簡単な説明】
【図１】上記実施形態のナビゲーション装置の概略構成図である。
【図２】図１のナビゲーション装置の作動を示す特性図である。
【符号の説明】
１０…ナビゲーション装置、１１…ケーシング、１２…演算処理装置、１３…温度検出部、１４…データ読み取り部、１５…第１の電源回路、１６…第２の電源回路。
【図１】
0004507430.tif 000002
【図２】
0004507430.tif 000003